Podtech/llm-jp-corpus-v4-ja_patent huggingface dataset:
(57)【要約】【課題】  蟹を活かして保存する場合、蟹のはさみ脚の二つの指の動きを止めるために両指に輪ゴム等を挿入したり、巻きつけたり又はプレートを嵌め込むなどしていたが、抜け落ち、指の損傷、脱着に手間がかかる欠点があった。そこで、抜け落ちが無くなり指の負担が軽減され更に脱着しやすい指の動きを拘束するリングを提供するものである。【解決手段】  蟹のはさみ脚の不動指と可動指とに挿入する一体化された二つのリングを成形し、該リングを指に挿入した時、一つのリングは嵌合状態にもう片方のリングは遊合状態に成るようなリングの径であり、嵌合状態にあるリング面には不動指又は可動指の一以上の歯が入る切り欠け部を一以上設けたことを特徴とした蟹のはさみ脚の指を拘束するリングを提供する。【選択図】    図１
2006101863.tif 000002
【特許請求の範囲】
【請求項１】
蟹のはさみ脚の不動指と可動指とにリングを挿入して動きを拘束するものであって、該リングの構造は不動指に入るリングと可動指に入る二つのリングが一体化され、且つ、伸縮性のある材質から成ることを特徴とした蟹のはさみ脚の指を拘束するリング。
【請求項２】
請求項１記載の蟹のはさみ脚の指を拘束するリングにおいて、該リングを指に挿入した時、一つのリングは嵌合状態に、片方のリングは遊合状態に成るようなリングの径であることを特徴とした蟹のはさみ脚の指を拘束するリング。
【請求項３】
嵌合状態のリング面には、不動指又は可動指の一以上の歯が入る切り欠け部を一以上設けたことを特徴とした請求項１又は２記載の蟹のはさみ脚の指を拘束するリング。
【発明の詳細な説明】
【技術分野】
【０００１】  本発明は、蟹のはさみ脚の不動指と可動指とに挿入して指の動きを拘束するリングに関するものである。
【背景技術】
【０００２】  従来、水槽等に蟹を活かして保存する場合、蟹同士が鋏み合わないようにするため、又取り扱いを楽にするため、はさみ脚の二つの指に輪ゴム等を挿入、又は巻き付けたりプレートを嵌め込むなどして指の動きを止めていた。
【特許文献１】    特開平１１−３２６２１
【非特許文献】
【発明の開示】
【発明が解決しようとする課題】
【０００３】  しかしながら、従来のものには次のような問題点があった。
蟹のはさみ脚の二つの指は、円錐形の形状で先に行くほど細く鋭くなっているため輪ゴム等では抜け落ちることが多かった。
輪ゴム等で指を止める場合、ゴムの締め付ける力によって強くゴム圧が加わり指に負担が掛かり傷めることが多かった。
又、プレートを指に嵌め込んで止める場合、脱着に手間がかかる欠点があった。
そこで、本発明は、これらの問題点を解決するために、抜け落ちが無くなり指の負担を軽減し更に脱着しやすい指の動きを拘束するリングを提供するものである。
【課題を解決しようとする手段】
【０００４】  本発明は、上記の課題を解消するために、蟹のはさみ脚の不動指と可動指とにリングを挿入して動きを拘束するものであって、該リングの構造は不動指に入るリングと可動指に入る二つのリングが一体化され、且つ、伸縮性のある材質から成り、該リングを指に挿入した時、一つのリングは嵌合状態に、もう片方のリングは遊合状態に成るようなリングの径であり嵌合状態にあるリング面には、不動指又は可動指の一以上の歯が入る切り欠け部を一つ以上設けたことを特徴とした蟹のはさみ脚の指を拘束するリングを提供する。
本発明で使用する伸縮性のある材質とは、ゴム又はゴムのように弾力性がある樹脂等をいう。
尚、一体化とは図示のように、両リングが連結されていることをいう。
【発明の効果】
【０００５】  本発明によって、次のような効果が生じた。
１．嵌合するリングと遊合するリングとを一体化してあるため押し込むだけで簡単に嵌り    容易に取り外しでき手間がかからなくなり作業性が良くなった。
２．嵌合するリング面には脱落防止のための切り欠け部を設けてあり、歯の凹凸が強く食    い込み、抜け落ちることが無くなった。
３．遊合するリングには、指に若干の遊びが有り圧迫されることが無く、指の負担が軽減    された。
４．蟹類以外のはさみ脚を持つエビ類（ロブスターなど）にも使用することができる。
【発明を実施するための最良の形態】
【０００６】  本発明を実施するための最良の形態を図１，２の実施例に基づいて説明する。
１．伸縮性のある樹脂、又はゴムで、はさみ脚（４）の不動指（５）と可動指（６）とに  挿入するための一体化された二つのリングを成形し、該リングは装着時、一つは指に確  り嵌まるよう嵌合する内径のリング（１）であり、もう片方は、指とリングに少しの隙  間のあく遊合する内径のリング（２）である。
２．嵌合するリング（１）の該面に、歯（７）の凹部に一つ入る切り欠け部（３ａ）又は  、一つ以上の歯（７）の凸部が入る切り欠け部（３ｂ）を設ける。【０００７】  本発明は以上のような構造で二つのリングは次のような作用をしている。
１．嵌合するリング（１）の該面には切り欠け部（３ａ、ｂ）を設けてあるため、歯の凹  凸部（７）が強く食い込みストッパーとしての機能を持ち抜け落ちることが無くなる。
２．遊合するリング（２）は指に若干の遊びを設けることにより、二本の指を締め付ける  ことなく指への負担が軽減される。【０００８】  このように、別々の作用をする二つのリングを一体化してあるため、嵌合するリング（１）を持って押し込むだけで簡単に装着でき、挿入しやすく容易に取り外すことが可能になるのである。【０００９】  そして、当該リングの内径を、嵌合するリング（１）を５〜６ｍｍ遊合するリング（２）を９〜１０ｍｍとすれば一つのサイズで大きさの異なるはさみ脚（４）の指に適合することができる。
これは、大きい指は前部、小さい指は後部の位置で装着されるからである。【００１０】  また、実寸は主に通称ズワイガニ（別称  越前ガニ、松葉ガニなど）に合わせたものだがサイズを適宣に選択すれば、その他の蟹類やはさみ脚を持つエビ類にも適したものを作ることができる。【００１１】  尚、前記二つのリングは外径と厚みと幅は特に限定しないが、歯と歯の間に入るリング面は薄くしたほうが好ましい。【００１２】  また、嵌合するリング（１）は図１のように不動指（５）に入るように挿入しても良いし、可動指（６）に入るように挿入しても上下どちらでも構わない。
【図面の簡単な説明】
【００１３】
【図１】本発明の装着状態を示す斜視図である。
【図２】本発明の切り欠け部を示す斜視図である。
【符号の説明】
【００１４】１．嵌合リング
２．遊合リング
３ａ、３ｂ  切り欠け部
４．はさみ脚
５．不動指
６．可動指
７．歯の凹凸部
【図１】
2006101863.tif 000003
【図２】
2006101863.tif 000004
(57)【要約】【課題】本発明は海苔加工現場を、販売の店先に持ち込む事で、焼き海苔、味付け海苔、各種具材付き海苔などを消費者側の希望する形状に加工する事ができる。昨今のお弁当に使われている海苔は、四角のみならず、マル・三角・図柄などのニーズがありはさみを使って主婦が工夫している。【解決手段】海苔業界は伝統ある産業である、近年米離れ現象により海苔の消費量が伸びない中、近代的な手法が業界に入る事や店頭での消費者参加型の直販展開をする事で、新たな消費者を発掘できる。日本人の新たな海苔の文化の形成になる。【選択図】図５
2006101859.tif 000002
【特許請求の範囲】
【請求項１】
超音波ナイフによる海苔の切断。
【請求項２】
卓上型の海苔自動切断ロボット。
【請求項３】
切断形状自動識別の制御方法。
【請求項４】
複数枚の海苔の固定方法１。
【請求項５】
複数枚の海苔の固定方法２。
【発明の詳細な説明】
【発明の詳細な説明】
【技術分野】
【０００１】  本発明は、海苔を加工工場以外の場所、例えば店頭等に設置し、店員或いは顧客が、海苔を切断メニューを選択して自在に裁断し持ち帰ってもらう、アテンション効果と店頭での加工販売をするための卓上型の海苔切断ロボットの発明である。
【背景技術】
【０００２】  従来の海苔の切断は、主に工場に手動或いは自動の切断機で大量に切断され包装されている。その為に店頭などで適時対応した切断は、包丁を用いた人による切断が稀に行われている程度で、本機のような自動で省スペースな切断機は存在しない。
【発明が解決しようとする課題】
【０００３】  小型である事、複数枚数の海苔を押さえ固定する方法、多様な形状に切断可能である事、複数枚数の海苔を切断できる事、しかも切り口が欠けずにきれいに切れる事、安全で衛生的な機構である事などがあげられる。
【課題を解決するための手段】
【０００４】  この発明は、小型化をする為に直行型のロボットをベースに、Ｚ軸に４０ｋＨｚの超音波ナイフを固定しＸ，Ｙ，Ｚ，θの４軸制御により自在な動作をプログラミングし、多種な形状をナイフ刃を用いて切断出きるものである。超音波ナイフを用いる事で、切り口の欠けを少なく、刃の角度、刃の切断スピードを最適な条件にセットして、焼け焦げの無いきれいな切り口を実現した。プログラムミングもわずらわしさと短時間での対応をする為に、予め切断形状をプログラミングしておき、海苔の上には切断形状のナイフの通る細溝が切られた、切断形状押さえ枠「押さえ枠」（図−１）の外部に取り付けた目印を光センサーで感知し切断形状を認識させて、シケンス制御により間違えの無い切断形状のプログラムを自動的に作動させる仕組みにした。従って押さえ枠を海苔の上に載せ固定し作動スイッチを押すだけで間違えの無い切断ができる。海苔を載せるベース「ステージ」（図−２）には、予め切断形状のナイフの通る細溝が掘り込んであり、全形海苔の大きさの多少の違いを調整可能に細工され、切断寸法を正確に切ることができる。また海苔の枚数に対応するために、海苔押さえ部は、枚数による厚さの変化に対して最適な押さえ力に調整できる様に、幅調整クランプ機構が工夫されている。
【発明を実施するための最良の形態】
【０００５】  本発明の切断ロボットの「ステージ」に複数枚の海苔を載せ、海苔を押さえる枠「海苔押さえ枠」を海苔の上に載せる、両サイドの手動式クランプで固定する。ロボットの動作開始ボタンを押すと、光センサーが形状を認識して、設定された形状にナイフを動かして海苔を切断する。
【発明の効果】
【０００６】  本発明によれば、生産加工現場以外の場所に於いて、お客様の注文に応じて、目の前で自在に切断し商品を手渡す事ができる、店頭での加工品直売としてツールとして現存しない、アテンション効果と顧客参加型の店舖販売として、ビジネスモデルになる。
【実施例１】
【０００７】  図３は、本ロボットの加工対象である海苔を、「ステージ」に載せ「押さえ枠」を上に載せにクランプで固定（固定方法１）されたものである。
【実施例２】
【０００８】  図４は、本ロボットの加工対象である海苔を、吸着テーブルに載せフイルム或いは紙を上に載せにエアー吸着で固定（固定方法２）されたものである。
【実施例２】
【０００９】  図５は、本ロボットの加工対象である海苔を、超音波ナイフ刃で切断をイメージしたものである。
【図面の簡単な説明】
【図１】  海苔切断形状押さえ枠「押さえ枠」部の平面図。
【図２】  海苔載せベース「ステージ」部の平面図。
【図３】  海苔固定（固定方法１）の平面図。
【図４】  海苔固定（固定方法２）の平面図。
【図５】  超音波ナイフによる海苔切断のイメージ図。
【符号の説明】
１．    センサ感知ブロック
２．    位置決めピン
３．    海苔幅決めブロック
４．    クランプ
５．    超音波スピンドル
６．    ナイフ刃
７．    Ｘステージ
８．    Ｙステージ
９．    θステージ
【図１】
2006101859.tif 000003
【図２】
2006101859.tif 000004
【図３】
2006101859.tif 000005
【図４】
2006101859.tif 000006
【図５】
2006101859.tif 000007
(57)【要約】【課題】  糖尿病患者が多くなるのは、パンのジャム、とか餡パンの餡とか清涼飲料水の糖分とかお菓子、コーヒー、アイスクリーム、其の他の甘さのための糖分過剰の加工食品が原因となっている。そのため天然のムチンを含有する里芋、八つ頭等を原料に加え、甘さのためには羅漢果等を使用する。【解決手段】  パンの原料資材や其の他の加工食品に里芋，八つ頭、羅漢果粉末を加え満腹感と糖尿病患者等の軽減を計る。【選択図】  図１
2006101851.tif 000002
【特許請求の範囲】
【請求項１】
里芋、八つ頭等の生野菜や、桃、柿、梨、パイナップル等、すべての生野菜の固形物を、回転押圧、磨り合わせ、徴細回転切断器等の機械器具により精製された、強度の粘着性を帯びた、天然のムチン及びルチン、マンナン、ガラクタン、ビタミンＣを含有せる里芋下ろし、八つ頭下ろし、そば粉等の各種の野菜果物生植物の栄養素群の性質を変えることなく製造に際して、限定された容量の、天然深層水、機械的、電気的なＯＨ電界水、純度の高い天然水等に適量のドライ・イースト粉末、羅漢果糖分粉末、脱脂粉乳等と共に混入、適度に攪拌希薄なる水溶液状化と為し（パイナップル等の酸味の強い果物等は、煮沸し、冷やしそれを下ろして使用する。）限定された適量のパン粉に混入し、練り合わせ、三，四時間ねかせてから、２８０度位の高温のパン焼釜に挿入、色良いパンとして焼き上げる。香りやパン表面の味を良くするためには果物等の濃縮液を作り、焼き上がったパンの表面に筆等で塗りもう一度短時間パン焼釜に入れて焼き上げる。香りの高い美味しいパンが出来上がる。
【請求項２】
このムチン入り素材は、餡、ジャム、アイスクリーム、シャーベット、ジュース、生菓子、そば、うどん、ギョウザ、シウマイ、あらゆる加工食品に転用可能である。
【発明の詳細な説明】
【発明の詳細な説明】
【技術分野】
【０００１】  この発明は、今迄パンとして焼けると思わなかった、里芋、八つ頭等の生野菜や、桃、柿、梨、パイナップル等のあらゆる生果物を、パン等の薬効味成分として焼き上げる方法を記したものである。
【背景技術】
【０００２】従来のパンに於いて、酸に弱いドライ・イーストの性質により、あらゆる野菜、果物、特にパイナップル等はその儘に於いて焼けぬものとされていた。また、パンは、空腹時に於いて、お腹を満たすものだけであった。
【発明が解決しようとする課題】
【０００３】  これは次のような欠点があった。
（イ）糖分の強い、餡パンやジャムパン等を食べ過ぎると血糖値が上がり、糖尿病となり、現在日本の大人も子供も合わせて、１，６００万人以上の糖尿病患者が存在すると云われている。加工食品業界は野放しである。本発明は、これらの患者及び欠点を除くためになされたものである。
【課題を解決するための手段】
【０００４】  パンの製造にあたり、０．７５斤当り、パン粉２５０グラムに対し、砂糖は使用せず、その代わりに、羅漢果、粉末（砂糖の４００倍甘いと云われるが、糖尿病を治す薬効がある。）１０グラム、脱脂粉乳１０グラム、塩０．０５グラム、水１６０ＣＣ、に対し磨り下ろした里芋、八つ頭、或はその他の生野菜、果物等５０グラムを適度に攪拌融合し、パン粉に振りかけ、練り合わせ、薄く引き延ばしそこにドライ・イーストを均等にまぶし、また練り合わす。そして四時間位ねかせておき、それを２８０度位の温度の焼釜に入れ焼き上げる。香りや甘味が更に欲しい場合には焼き上がったパンの表に磨り下ろした果物の水溶液を筆等で塗り、更に何拾秒かに於いて焼き上げる。
本発明は以上のような構成によりなる。ふっくら香り高い美味しいパンの焼き上りである。
（注意）パイナップル等の酸味の強い果物を使う場合は、少し煮るとか、強度の冷凍する事等して酸味を消す事である。酸味でドライ・イーストが駄目になる。
【発明の実施の形態について説明する】
【０００５】  パンの材質成分に里芋、八つ頭に含まれる、天然ムチン、マンナン、ガラクタン其の他の栄養素が、人間の癌、糖尿病、コレステロール、高血圧症、便秘等を抑制治療する。このパンを常用すれば、満腹のみならず、癌や、糖尿病、高血圧、便秘等の幾多の患者達を救済することになる。また、食事の祭に食するものをいちいち心配しないで済む。
【発明の効果】
【０００６】タロ芋を主食とし常用する、南洋の土人の人達には癌患者も、糖尿病患者も高血圧、便秘患者も全く居ない。然も狩猟をする場合、動物以上に体は敏捷である。タロ芋も貴重であるが、それ以上に里芋八つ頭の方が貴重であろう。それに果物のうまさ、美味しさが加わる等この上なしである。以上によってもこのパンが如何に貴重であるかが解るであろう。歯の無い年寄りには、もってこいである。
【図面の簡単な説明】
【図１】本発明の斜視図である。
【図２】本発明の使用状態を示す上面図である。
【符号の説明】
１．摺鉢タンク
２．排出管
３．排出栓
４．排出口
５．擂粉木磨耕用圧縮羽根
６．圧縮羽根固定板
７．圧縮回転軸
８．軸受ベアリング
９．駆動輪
１０．Ｖベルト
１１．駆動モーター
１２．固定指示板
１３．電気線
【図１】
2006101851.tif 000003
【図２】
2006101851.tif 000004
(57)【要約】      （修正有）【課題】磁気水を与えることにより、１年花を多年花に進化させ強い植物に成長させる方法とその磁気水を製造する方法。【解決手段】約１ｍＴの磁気布２をロウル状に巻いて設置した円筒形ステンレス容器１で構成される低磁場浄水器で、磁化と濾過を同時に行うことにより磁気水を作り、その磁気水を使用する。【選択図】図２
2006101858.tif 000002
【特許請求の範囲】
【請求項１】
植物を延命促進させる磁気水で、約０．５〜１．５ｍＴ以下の磁気を有する低磁場浄水器で処理した水を植物に供給する方法。
【請求項２】
植物を延命促進させる磁気水で、約０．５〜１．５ｍＴ以下の磁気を有する低磁場浄水器を製造する方法。
【発明の詳細な説明】
【技術分野】
【０００１】  本発明は、１年花を多年花に進化させ強い植物に成長させる磁気水を製造する低磁場浄水器に関する。
［背景の技術］【０００２】  磁場による植物の成長促進効果があることは知られているが、磁石を用いて磁気水を与えることで、１年花を多年花に進化させることに関する。
［特許文献１］特開平５第６８４３４号
［特許文献２］特開平９第２８２４７９号
［発明の開示］
［発明が解決しようとする課題］【０００３】  磁場は、植物の成長促進効果があることは知られているが、磁石と磁気水を併用すると花や野菜等の植物により大きな成長促進効果があることに関する。
［課題を解決しようとする手段］【０００４】  従来の磁石を用いて植物を成長促進させることは知られていたが、磁石だけで使用するより、低磁場浄水器で処理した水を与えるとより大きい成長促進を得るこができる。
［発明の効果］【０００５】  本発明は、低磁場浄水器で処理した水を与えると、磁石だけで使用するより大きな成長促進効果があり、１年花を多年花に進化させ強い植物に成長させる。
［発明を実施するための最良の形態］【０００６】  この植物バイオテクノロジ−試験は、小さいプラスチックの植木鉢に扶養土を入れて、８〜１０ｃｍに成長したホウセンカ花の苗を植えて日のあたる所に置き、磁石を幹に接触させて置き朝、夕に充分な磁気水を与える。
低磁場浄水器は、円形筒状の浄水器の中にロ−ル状に巻いた磁気布を中央に設置して、横は隙間なく設置することで、磁化と濾過を同時にすることに関する。
［作用と実施例］【０００７】  次に、磁場が植物に対して成長促進効果と１年花を多年花に進化させる効果があり、セルロ−ズ線維に大きな影響を与える。
［実施例１］【０００９】  この植物バイオテクノロジ−試験に使用するのは、約１ｍＴの磁気布と約１ｍＴの磁気布を設置した低磁場浄水器で処理した磁気水を使用する。
直径１０ｃｍの鉢５０個に扶養土を鉢に入れたものに、８〜１０ｃｍに成長したホウセンカの苗を６月６日に植えた。
ホウセンカは成長して第１回目の花が６月２０日頃から花が咲き始めて、７月末迄で花から種ができた。  普通の場合は８月中頃には枯るが、今回のホウセンカは７月初頃から新しい幹ができ枝ができて、新らしく新芽ができ若葉に７月末迄までに成長して花芽ができた。  初回の葉っぱの大半が８月初め頃に枯れて、新らしく成長した若葉の葉の大きさは半分位いだが葉の数は多く、花の数も多かった。  ９月末日の現在でも、９０％の４５鉢のホウセンカが繰返して花が咲かせて９月中頃から枝から新芽が出て成長を続けている。
偏極磁石の磁気測定は電子磁気工業（株）制ＧＭ４０００で測定した。
［発明の効果］
【図面の簡単な説明】
【００１１】  本発明の浄水器中に磁気布が設置され、水が通過すると磁化と濾過を同時にすることができる。
［図１］
低磁場浄水器
［図２］
低磁場浄水器断面図
【符号の説明】
１：ステンレス容器
２：磁気布
３：固定材料
【図１】
2006101858.tif 000003
【図２】
2006101858.tif 000004
(57)【要約】【課題】従来のゴキブリ捕獲器は、単体では床と平行に置いてしか使えないという問題があった。これは、捕獲器に重力の作用が働くので床に置くしかなかったのである。【解決手段】捕獲器底面外側に粘着材を塗布、固着する。その粘着性を利用する事により重力の作用を受けても一時的に捕獲器が下に落ちないようにする。それにより壁などの、床と垂直になった場所にでも捕獲器を仕掛けることができる。【選択図】      図１
2006101860.tif 000002
【特許請求の範囲】
【請求項１】
ゴキブリ捕獲器底面外側に粘着材を塗布または固着することで、床以外にも粘着させて仕掛ける効果を備え、そして床に置いた場合に、捕獲器底面外側に塗布または固着した粘着材を使用すれば、仕掛けた場所からズレにくくすることができるゴキブリ捕獲器。
【発明の詳細な説明】
【技術分野】
【０００１】この発明は、床に置くゴキブリ捕獲器の底面に粘着材を塗布または固着し、床に置けると同時に壁に粘着させても使用する事が可能な、底面粘着材付きゴキブリ捕獲器に関するものである。
【背景技術】
【０００２】従来のゴキブリ捕獲器は、通常の使用例として、単体では床に置いて使用する方法でした。【０００３】〔特許文献〕特開平１１−０００９２号公報【０００４】上述の方法では、捕獲器を置く時、床に本体分の空間がなければ捕獲器を仕掛けられませんでした。しかも、何らかの事情で床などには捕獲器が置けない場合もあると考えられます。ちらかっている、床が常に水分をおびている等。【０００５】また今迄の捕獲器では、床に対して平行で上向きに粘着材が塗布されているので、しばしば気づかずに足で粘着材を踏んでしまう可能性もあった。
（以上を従来例１とする）
【発明の開示】
【発明が解決しようとする課題】
【０００６】従来例の１の場合、本発明である底面外側に粘着材を塗布または固着してある捕獲器であれば、床だけでなく壁などに粘着材で固定する事が可能である。【０００７】そうすることにより使用方法は必ずしも本体を床に対して平行に置いて仕掛けなければならないという制約がなくなります。
【課題を解決するための手段】
【０００８】この発明が提供する、底面粘着材付きゴキブリ捕獲器は、捕獲器の底面外側に粘着材を塗布または固着したものである。【０００９】壁など床に対して捕獲器が垂直になる状態でも使用する事が可能であるという特徴を有する。【００１０】捕獲器底面外側に粘着材を塗布または固着する方法は多々あるが、壁に接着する側には、使用後に取り替え易いよう比較的弱い粘着材を使用するのが懸命である。【００１１】固着例の一つとしては、図１のように上述粘着材を長方形の捕獲器底面の四隅に塗布または固着するという方法で製作が可能である。
以上からなる底面粘着材付きゴキブリ捕獲器。
【発明の課題】
【００１２】課題解決手段で説明したように、この発明による底面粘着材付きゴキブリ捕獲器は、仕掛ける時に特別な技術を必要としない。
【００１３】捕獲器底面外側の粘着材を壁などの捕獲器を仕掛たい場所に貼って使用すれば良い。
【００１４】また床に対して平行にしてでも垂直にしてでも使用することが可能である。
【００１５】また床において使用する場合でも、粘着材を使用する状態でこの発明の捕獲器を仕掛ければ、仕掛けた場所からズレずに使用続けることが可能である。
【実施例】
【００１６】図１は、この発明の実施例の底面粘着材付きゴキブリ捕獲器を裏から見た平面図である。一例として、捕獲器底面外側の５ヵ所に粘着性両面テープを固着したものとする。【００１７】図２は、この発明の使用状況を表す図である。【００１８】底面外側の方の粘着材については、粘着材の材料も、捕獲器底面外側のどの位置に、どのくらいの範囲や形で粘着材を塗布または固着するかはこだわらず自由に設定できるものとする。【００１９】以上の様な利点があるので図１では、数ある方法例の中での一例を、簡略図として描いたものである。
【産業上の利用可能性】
【００２０】上述したように本発明のゴキブリ捕獲器は、捕獲器を床に置けない場合に底面外側の粘着材を用いて壁などに仕掛ける事が出来るので、使用場所の可能性が広がるゴキブリ捕獲器を提供できる。【００２１】また、床において使う場合でも、底面外側の粘着材を使用すれば捕獲器が仕掛けた場所からズレにくくなるという効果がある。
【図面の簡単な説明】
【００２２】
【図１】本発明の一実施形態を示すゴキブリ捕獲器の簡略図
【図２】使用状況を表す図
【符号の説明】
【００２３】ａ  ゴキブリ捕獲器本体底面外側
ｂ  粘着部
ｃ  ゴキブリ捕獲器本体
ｂ  粘着部
▲ｄ▼  壁
▲ｅ▼  床
【図１】
2006101860.tif 000003
【図２】
2006101860.tif 000004
【手続補正書】
【提出日】平成16年10月21日(2004.10.21)
【手続補正１】
【補正対象書類名】明細書
【補正対象項目名】００１０
【補正方法】変更
【補正の内容】
【００１０】
【特許文献１】  特許平１０−２６５６７７号公報
【手続補正書】
【提出日】平成16年11月8日(2004.11.8)
【手続補正１】
【補正対象書類名】明細書
【補正対象項目名】０００１
【補正方法】変更
【補正の内容】
【０００１】            この発明は、ゴキブリ捕獲器や殺虫剤容器の底面に粘着材を塗布または固着し、床に置けると同時に壁などに粘着しても使用する事が可能な、底面粘着材付きゴキブリ捕獲器（容器）に関するものである。
(57)【要約】【課題】自然食品のみのエチルアルコール製造方法は全く無い。化学薬品、酵素剤、乳酸菌、麹菌等を全く使用しないエチルアルコール含有飲料、食料の開発を課題とした。【解決の手段】水１０００ｃｃに対し糖分２００グラム〜４００グラム混入、更に牛乳２００ｃｃ〜４００ｃｃ混入し、糖分と水、牛乳の混合液とする。２０℃〜４０℃として６０日間〜９０日間後牛乳中のエチルアルコール産出酵素による自然醗酵によりエチルアルコール１０％〜３０％の乳様液体を得る。極めて芳香性に優れ美味であった。【特許請求の範囲】
【請求項１】
水１０００ｃｃに対し糖分２００グラム〜４００グラム混入、更に牛乳２００ｃｃ〜４００ｃｃ混入し、糖分と水、牛乳の混合液とする。２０℃〜４０℃として６０日間〜９０日間後牛乳中のエチルアルコール産出酵素による自然醗酵によりエチルアルコール１０％〜３０％の乳様液体を得る
【請求項２】
牛乳中のエチルアルコール産出酵素の分離培養にも成功しこの酵素の利用応用による全ての飲料食料は本発明の範囲に属することは言うまでもない。
【請求項３】
牛乳中のエチルアルコール産出酵素の製造分離培養行程すべてを含む。
【発明の詳細な説明】
技術分野
【０００１】背景技術
【０００２】乳酒の製造方法は古来種々あるが化学物質、酵素剤、乳酸菌麹、菌が使用され行程も複雑であり、自然食品のみによるエチルアルコール産出酵素による飲料食料は全く見当たらない。
【発明の開示】
【発明の解決しようとする課題】
【０００３】牛乳中に含まれる物質と糖分による自然食品のみでのエチルアルコール産出方法、並びに利用応用方法。
【０００４】エチルアルコール濃度を１０％〜３０％にするとする工程。
【課題を解決するための手段】
【０００５】水１０００ｃｃに対し糖分２００グラム〜４００グラム混入、更に牛乳２００ｃｃ〜４００ｃｃ混入し、糖分と水、牛乳の混合液とする。２０℃〜４０℃として６０日間〜９０日間後牛乳糖分のアルコール醗酵液体を得る。即ち牛乳中に含まれるエチルアルコール産出酵素が糖分と化学反応し多量のエチルアルコールを産出する。
【０００６】上記エチルアルコール産出酵素含有液を水１０００ｃｃと糖分２００グラム〜４００グラムを加えた混合液によりアルコール産出酵素の分離培養に成功した。
【発明の効果】
【０００７】牛乳中のエチルアルコール産出酵素によるエチルアルコールは優れた芳香があり又美味である。
【発明を実施するための最良の形態】
【０００８】牛乳と糖分のみの自然食品によるエチルアルコール産出酵素による飲料食料、食料とした、化学製品、酵素剤、乳酸菌、麹菌等混入物は一切使用しない自然食品である。即ち水１０００ｃｃに対し糖分２００グラム〜４００グラム、牛乳２００ｃｃ〜４００ｃｃを混合液とする。２０℃〜４０℃として６０日間〜９０日間後牛乳中のエチルアルコール産出酵素によりエチルアルコール１０％〜３０％の乳様液体を得る。
【実施例】
【０００９】水１０００ｃｃに対し糖分２００グラム〜４００グラム混入、更に牛乳２００ｃｃ〜４００ｃｃ混入し、糖分と水、牛乳の混合液とする。２０℃〜４０℃として６０日間〜９０日間後牛乳中のエチルアルコール産出酵素による自然醗酵によりエチルアルコール１０％〜３０％の乳様液体を得る。【００１０】
【０００９】にある液体を更に水１０００ｃｃと糖分２００グラム〜４００グラムを加えた糖液でアルコール産出酵素の分離培養に成功した。【００１１】水と糖分牛乳の自然食品のみの反応によるエチルアルコールは優れた芳香性を持ち美味である。
【産業上の利用可能性】
【００１２】自然食品のみによるエチルアルコール製造方法で化学薬品、酵素剤、乳酸菌、麹菌等は全く使用されない工程である。
又、本製造方法によるエチルアルコール飲料、食料は低価格で製造可能であり、又、芳香性に優れ美味であり飲料、食料として応用範囲が極めて広い。
(57)【要約】【課題】植物栽培全般で、有機質培地を用いて育成する方式で、植物の収量向上を達成できる植物の栽培方法を提供する。【解決手段】有機質培地の根圏部分に空気を強制通気し、根系への酸素供給を促進することを特徴とする植物の栽培方法。【選択図】  図１
2006101724.tif 000002
【特許請求の範囲】
【請求項１】
植物の栽培で有機質培地を用いて育成する方式において、該培地内に強制通気装置を設け、該培地上部に散水装置を設ける
ことを特徴とする根圏通気方式による植物栽培方法。
【請求項２】
植物の栽培で有機質培地を用いて育成する方式において、該培地内に強制通気装置を設け、該培地上部に散水装置を設けた
ことを特徴とする根圏通気方式による植物栽培用装置。
【発明の詳細な説明】
【技術分野】
【０００１】
本発明は植物の栽培で有機質培地を用いて育成する方式において、生産性を向上させるために該培地内根圏に強制通気で空気を送り、並びに上部に散水装置を設けることに関する。
【背景技術】
【０００２】
植物の育成には、根部に空気と水分を十分に供給して健全に育成を行うことが必要である。従来から加湿した空気を送る方法があったが、十分な水分の補給は困難であった。また植物の根の表面には、根の酸素取り込みに伴う「根面境界層」と呼ばれる酸素濃度の低い気相の薄層が存在し、根への酸素供給を阻害しており、この境界層が生産性を低下させている。
【発明の開示】
【発明が解決しようとする課題】
【０００３】
作物の根は、土壌中で呼吸作用を行いながら伸張し、かつ養分吸収を行っているので、土壌の空気の量および組成ならびに通気性は植物の生育にきわめて重要な関連をもっている。
【０００４】
土壌空気中に酸素が不足すると根腐れの発生の原因ともなり、これらが直接、間接に植物の生育に影響し、結局は収量、品質に多大な影響を与える。したがって植物が正常に生育するためには、土壌通気が良好であること、とくに根圏に十分な酸素を供給することが必要である。
【０００５】
本発明は、根圏に十分な酸素を供給する装置である。
【課題を解決するための手段】
【０００６】
有機質培地を用いて植物を育成する方式において、該培地内に強制通気装置を設け、該培地上部に散水装置を備えることを特徴とする。
【０００７】
前記有機質培地には、泥炭（ピートモス)、ココヤシ繊維や発泡フェノール粒子（アクアフォーム）などがある。
【０００８】
前記強制通気装置としてコンプレッサー又はブロア並びに通気用チューブの装置を備えたものである。
【発明の効果】
【０００９】
根圏部に外部から強制通気し、根の近傍に酸素を豊富に供給することで種子の発芽、水分や養分の正常な吸収、根の伸張ひいては地上部の良好な発育に対して重大な影響を及ぼすものである。
【発明を実施するための最良の形態】
【００１０】
培地中では、空気と水は孔げき内に存在するため、培地の含水量と容気量（土壌１０００ｍｌの中に空気の占める容積）とは相反関係にある。
【００１１】
また極端な含水量の低下は、植物に水ストレスを与え、生育に対して阻害要因となる。
【００１２】
含水量を下げることなく、容気率は上げることなく根圏の酸素供給量を上げる必要がある。
【実施例】
【００１３】
バラの養溶液栽培において、土耕と比べて根域が限定されており、根圏環境が生産性に与える影響がより大きい。ここではアーチング栽培した品種‘ローテローゼ’を用い、積極的に培地に通気することにより切り花生産性の向上が図れないかについて検討した。
【００１４】
培地の種類（ピートモス）と栽培年数（４年：２０００年７月４日定植、新種：２００３年５月９日定植）および培地通気の有無を組み合わせて実験区を設定した。
【００１５】
栽培ベットは内寸幅２０ｃｍ，深さ７．５ｃｍとし、株間１０ｃｍで挿し木苗を定植した。通気区については培地の中央に通気用チューブ（エバフローＡ：三井プラテック（株））を１本通し、定植後からブロアにより、温室内空気を連続通気した。
【００１６】
実験区当たり２０株を供試し、２００３年７月３０日〜１２月２４日の収量を測定した。また、日中の晴天時の潅水約３０分後にシリンダにより採取した培地中の気相の酸素および二酸化炭素濃度を測定した。
【００１７】
新植株において、夏季から秋季の収穫本数、収量はいずれの培地区とも通気により増加する傾向が認められた。下記にピートモス培地への通気の有無がバラ‘ローテローゼ’の切り花収量と品質に及ぼす影響を表に示す。
【００１８】
【表１】
2006101724.tif 000003
【産業上の利用可能性】
【００１９】
本発明により、バラ切り花の生産性には培地中の液相の溶存酸素濃度が関係しており、強制通気方式により生産性の向上を図ることができる。
【００２０】
本発明により、作物（穀類、工芸作物、野菜、果実、観賞植物）の健全育成と収量増・品質向上が図れる。
【図面の簡単な説明】
【００２１】
【図１】バラ高設栽培への応用例である。
【符号の説明】
【００２２】
１  有機質固形粒状培地
２  養液潅水用チューブ
３  ポリエチレン製通気チューブ
４  ブロア
【図１】
2006101724.tif 000004
(57)【要約】【課題】  生育盛りの桑若葉に含まれる成分が血糖値上昇抑制機能等を有することに着目して、適切な価格で健康向上できるお茶とその製造方法を提供すること。【解決手段】  この発明の緑色の桑葉茶は、刈り取った桑葉を裁断して１２０°Ｃ〜３００°Ｃで加湿熱風処理して揉んで乾燥させて、テイパックに詰めたこと或いは揉んで乾燥処理した桑葉を砕粉化したことを特徴とする。  この発明の桑葉粉末茶は、緑色状態の桑葉を刈り取り、加湿熱風処理した後に、揉んで乾燥処理した桑葉を砕粉化したことを特徴とする。更に、砕粉化した粉末茶を食品に添加して使用できる。  この茶は、桑葉茶に湯を入れて飲むタイプと煮出してペットボトル製品とするタイプとして用いられる。【特許請求の範囲】
【請求項１】
桑葉を刈り取り、加湿熱風処理して揉んで乾燥処理したことを特徴とする桑葉茶。
【請求項２】
桑葉を裁断して１２０°Ｃ〜３００°Ｃで加湿熱風処理して揉んで乾燥させて、粉末化或いはテイパックに詰めたことを特徴とする緑色の桑葉茶。
【請求項３】
桑葉を裁断して加湿熱風処理して揉んで乾燥させて、テイパックに詰めて、熱湯を注ぐか或いは煮だしする緑色の桑葉茶を製造することを特徴とする桑葉茶の製造方法。
【請求項４】
桑葉を裁断して加湿熱風処理して揉んで乾燥させて、煮だしてぺットボトルに詰め込んで緑色の桑葉茶を製造することを特徴とする桑葉茶の製造方法。
【請求項５】
加湿熱風処理して揉んで乾燥処理した桑葉を砕粉化した桑葉茶に熱湯或いは水を注ぐことを特徴とする桑葉粉末茶の製造方法。
【請求項６】
緑色状態の桑葉を刈り取って、加湿熱風処理して揉んで乾燥処理したものを砕粉化した桑葉茶に熱湯或いは水を注ぐことを特徴とする桑葉粉末茶の製造方法。
【請求項７】
桑葉を刈り取って、加湿熱風処理して揉んで乾燥処理したものを砕粉化した桑葉茶を食品に添加して使用することを特徴とする桑葉粉末茶の使用方法。
【発明の詳細な説明】
【技術分野】
【０００１】
この発明は、青汁、麦の若葉茶のような健康機能を向上させる桑葉茶、桑葉粉末茶、桑葉抽出系茶とそれらの製造方法とに関する。
【背景技術】
【０００２】
近年、お茶は健康飲料として脚光をあびており、体調保全、老化防止、ストレス緩和等に有効である。更に、高機能食品の開発と共にお茶も、低カロリ─化や肥満防止機能、持久力保持等の生体調整機能を向上させる成分を含有するものが注目されてきている。
【０００３】
ところで、これらの要求に応じて、薬用植物のアロエ、ドグダミ、イチジク、ビワ、ヨモギ、センブリなどや高機能食品として知られているクロレラ、人参、ロ─ヤルゼリ─、ウコンなどを混合して使用することが提案されているけれども、これらは、いずれも独特の味や香りがして食べたり飲んだりしにくいと言う問題点や原料価格が高いと言う問題点があり、一般のお茶として利用することは困難であった。
【０００４】
また、桑葉に含まれる成分は血糖値上昇抑制機能等があると言われているが、濃緑色を保つことと桑葉に含まれる酵素失活が重要な要素である。
【０００５】
その為に、蒸気加熱処理が有効であると知られており、通常はボイラ─によって発生した無圧１００°Ｃの蒸気を茶葉に当てていた（例えば特許文献１参照）が、酵素失活が不完全であって、茶葉の褐色化や味に渋みと劣化が生じ、再度火入れを行い、マイルドなお茶を製造していたが、処理過程の複雑化と熱量の有効利用などコストアップにつながると言う欠点があった。
【特許文献１】特開２００２−３３０６９７公報
【発明の開示】
【発明が解決しようとする課題】
【０００６】
この発明は、前記問題点に鑑みて意図されたものであって、生育盛りの桑葉に含まれる成分が血糖値上昇抑制機能等を有することに着目して、適切な価格で健康向上できるお茶とその製造方法を提供することである。    
【課題を解決するための手段】
【０００７】
この発明の桑葉茶は、刈り取った桑葉を裁断して１２０°Ｃ〜３００°Ｃで加湿熱風処理して揉んで乾燥させて、テイパックに詰めたことを特徴とする。
【０００８】
この発明の桑葉粉末茶は、揉んで乾燥処理した桑葉を微細粉に砕粉化したことを特徴とする。粉茶として用いるばかりでなく、食品に添加して使用し、桑葉独自の風味や香りを提供できると共に健康の向上に寄与する健康食品も提供できる。
【０００９】
この発明の桑葉粉末茶は、緑色状態の桑葉を刈り取り、加湿熱風処理して揉んで乾燥処理した桑葉を砕粉化したことを特徴とする。
【００１０】
この発明の桑葉茶の製造方法は、桑葉を裁断して１２０°Ｃ〜３００°Ｃで加湿熱風処理して揉んで乾燥させて、テイパックに詰めて、熱湯を注ぐか或いは煮だして緑色の桑葉茶を製造する、又はさらにぺットボトルに詰め込んで、緑色の桑葉茶を製造することを特徴とする。
【００１１】
この発明の桑葉粉末茶の製造方法は、加湿熱風処理し揉んで乾燥処理した桑葉を微細粉に粉砕化した桑葉茶に熱湯或いは水を注ぐことを特徴とする。
【００１２】
この発明の桑葉粉末茶の製造方法は、緑色状態の桑葉を刈り取って、加湿熱風処理し揉んで乾燥処理した桑葉を砕粉化した桑葉茶に熱湯或いは水を注ぐことを特徴とする。
【発明の効果】
【００１３】
この発明によると、血糖値上昇抑制機能等を有して、適切な価格で健康向上できるお茶を提供できる。
【００１４】
この発明の製造方法では、加湿熱風処理した桑葉茶をボトル飲料や缶飲料とする際に加熱殺菌処理による劣化が少なく、加熱殺菌臭が生じなく、桑葉に含まれる有効機能成分を有する桑葉茶を製造できる。
【００１５】
この発明の製造方法では、加湿熱風処理後に桑葉茶を揉んで乾燥するから砕粉や微細粉化が容易であって独自の風味や色彩を提供できる。
【００１６】
この発明の使用方法では、砕粉化した桑葉茶を食品に添加して使用し、桑葉独自の風味や香りを提供できると共に健康の向上に寄与する健康食品も提供できる。
【発明を実施するための最良の形態】
【００１７】
この発明の桑葉茶、桑葉粉末茶とそれらの製造方法は、以下に詳細に説明される。
【００１８】
主に，桑葉茶の製造を述べると、生育盛りの桑若葉を刈り取って、その桑葉を裁断し、加湿熱風装置で１２０°Ｃ〜３００°Ｃの熱量の大きな加湿熱風で数分間、例えば２分〜１０分で殺青（酸素失活）と熱処理を行う。更に、その後、強力な連続揉捻を行って緑色の変色を防いで乾燥させる。
【実施例１】
【００１９】
刈り取りした桑の若葉を切断し、水洗いし、加湿熱風処理し、揉み乾燥したもの４ｇをテイ─バックに詰め、５００ｃｃの熱湯若しくは煮たてて茶碗に注ぐか、冷やして冷茶として飲むことで、血糖値上昇抑制等の効果を期待することができる。
【実施例２】
【００２０】
桑の若葉を乾燥して、微細粉化し、０．５〜１８ｇを茶碗１００ｃｃに入れて、熱湯や冷水を注ぎ、青汁状態で継続的に飲み続けることで、桑葉独自の健康機能を得ることができる。
【００２１】
この発明は養蚕農家にとって有効利用策として極めて注目されている。
(57)【要約】【課題】本願発明は、コケを利用することにより簡便で自然景観に優れ、滑環境を汚染せず緑化を実現する手段の提供にある。【解決手段】2枚のシート間に粒子状物を当該シートの間でその移動を制限するように挟み、シート上にコケ類を生育させた緑化用マットである。シート間は適当な間隔を設けて縫い付け間の粒状物の移動を制限する。コケはシート上あるいは粒状物上に育成し、シート表面上に延出させる。シートは土木用不織布製保護シートを用い、シート間に挟まれる粒状物はガラスカレットを用うる。【選択図】図1
2006101742.tif 000002
【特許請求の範囲】
【請求項１】
2枚のシート間に粒子状物を当該シートの間でその移動を制限するように挟み、シート上にコケ類を生育させたことを特徴とする緑化用マット。
【請求項２】
請求項1記載の緑化用マットにおいて、2枚のシートのいずれかを土木用保護シートとし、当該土木用保護シート上にコケ類を育成させた緑化用マット。
【請求項３】
請求項1又は2記載の緑化用マットにおいて、シート間に挟まれた粒子状物の移動の制限を2枚のシート間を、間隔を空け、縫い付けもしくは接着したことを特徴とする緑化用マット。
【発明の詳細な説明】
【技術分野】
【０００１】
本発明は、壁面、法面、路面、広場あるいは屋上を緑化する方法において特にコケを利用する緑化マットの技術に属する。
【背景技術】
【０００２】
屋上や壁面、法面等の緑化をコケによって緑化する方法が各種提案されている。特許公開H6-173267には、繊維シート上でコケ群落を形成し、岩盤などの基面に貼り付ける。特に本目的に好適なコケとしてシッポゴケ科のフデゴケなどが挙げられている。特許公開2000-365225には、和紙3層が層状に絡み合う各隙間に、細片化したコケと、活性炭又は木炭の粉粒物とを分散させた物が開示されている。特許公開2003-250335には水溶性で表面にコケ植物が付着可能な程度の凹凸を有するシートの間にコケ植物配偶体を挟んだコケ植物担持体を緑化する基面に貼り付ける方法が開示されている。水溶性のシートでコケ植物が基面から剥がれるのを防止し、水溶性のシートが雨水によって消滅するとコケ植物が表面に現れ、外観が緑地として見えるようになるものである。
【特許文献１】特許公開H06-173267
【特許文献２】特許公開2002-165518
【特許文献３】特許公開2003-250335
【発明の開示】
【発明が解決しようとする課題】
【０００３】
本願発明は、コケを利用することにより簡便で自然景観に優れ、かつ環境を汚染せず緑化を実現する手段の提供にある。
【課題を解決するための手段】
【０００４】
本第1の発明は、2枚のシート間に粒子状物を当該シートの間でその移動を制限するように挟み、シート上にコケ類を生育させた緑化用マットである。コケ育成面に全体に自然な凹凸を形成するためシートの間に粒子状物を挟み、その移動を制限する手段を設けた。
本第２の発明は、上記載の緑化用マットにおいて、2枚のシートのいずれかを土木用保護シートとし、当該土木用保護シート上にコケ類を育成させた緑化用マットである。
本第３の発明は、上記1又は2記載の緑化用マットにおいて、シート間に挟まれた粒子状物の移動の制限を2内のシート間を、間隔を空け縫い付けもしくは接着したことを特徴とする緑化用マットである。
【発明の効果】
【０００５】
粒状物をシート間にその移動を制限するように挟んだため、コケ植物を育成させるシート表面に自然な凹凸が得られ景観に優れた緑化が実現する。シート間を適宜縫い付けたためシート間に挟んだ粒状物の移動が制限されシート間に均一に粒状物を分布させることができる。シート間ではなくシート表面にコケ植物を育成するため、通気性と受光性が良好に保たれ生育がよい。
【発明を実施するための最良の形態】
【０００６】
以下本発明である緑化用マットにつき、図を用いて、より詳細に説明する。
図１は、緑化用マットの一例をその断面図でしめしたものである。図に示したように2枚のシートの間に粒子状物を挿入し、シート表面上にコケ植物を育成したものである。シートは不織布、布あるいは挟みこむ粒子状物が離散しない程度に開口部を有する網状物、例えば繊維もしくはプラスチックの紐を絡めたもので、プラスチック製あるいは金属製ネットなどが使用可能である。特に本発明ではシートの表面にコケ植物を育成するため土木用に使用される不織布製保護シート類が水分を適宜その繊維間に含むため好適に使用できる。
上下シートは両者とも土木用保護シートであれば施工上その上下を確認することなく使用できる。シートの一方を、コケを育成させた保護シートとし他方を基盤面に固定する便を考慮したステンレススチール製あるいはプラスチックの薄板であってもよい。
【０００７】
シート間に挟む粒状物は砂利、砕石、発泡ガラスカレット、軽石などであり、特に細孔に富んだ発泡ガラスカレット、軽石などが水分、空気の保持の点から好ましい。
【０００８】
図２は本発明の緑化用マットの平面を示した概念図である。
シート間に挟まれた粒子状物が偏在しないよう粒子状物の移動を制限するためシート間を適宜縫い付け、あるいはピンあるいは接着剤等で接着した移動制限部を示している。
【０００９】
本緑化用マットはそのまま平坦面である屋上面、法面あるいは壁面等に接着あるいはビス等で固定することができる。
【００１０】
上記発明は粒状物をシートに挟んでシート上にコケを育成した緑化用マットにつき説明したが、シートに挟まれた粒状物上にコケを育成し、そのコケ付き粒状物をシートで挟みシート上にまでコケを成長させたものでもよい。その際、コケをシート表面まで成長させるため、コケを育成させる面のシートの厚さは他のシートに比較しその厚さを薄くしておくことが好ましい。
【図面の簡単な説明】
【００１１】
【図１】は、本発明の緑化用マットの断面を示す概念図である。
【図２】は、本発明の緑化用マットの表面を示す概念図である
【符号の説明】
【００１２】
１  緑化用マット
２  シート
３  粒状物  
４  コケ
５  移動制限部
【図１】
2006101742.tif 000003
【図２】
2006101742.tif 000004
(57)【要約】【課題】本願発明は、コケを利用することにより簡便で屋上、路面を緑化する手段の提供にある。【解決手段】穂場にて細孔を有する粒状体の表面にコケを育成させ、当該コケ付き粒状体を保管し、緑化を必要とする場所に運搬撒くことで緑化する。適当な水分を補給することで短期間に緑となり緑化が完成する。【選択図】図1
2006101741.tif 000002
【特許請求の範囲】
【請求項１】
細孔を有する粒状体の表面にコケを接着させもしくは育成させ、保存させたことを特徴とするコケ付き粒状体。
【請求項２】
請求項1記載のコケ付き粒状体を緑化場所に撒くことを特徴とするコケ付き粒状体を用いる緑化方法。
【発明の詳細な説明】
【技術分野】
【０００１】
本発明は、壁面、法面、路面、広場あるいは屋上を緑化する方法において特にコケを利用する緑化技術に属する。
【背景技術】
【０００２】
屋上や路面の緑化をコケによって緑化する方法が各種提案されている。特許公開07-2585には、溶岩などの多孔質骨材でコンクリート表面を化粧する方法が開示されている。これら表面はコケ類の生育しやすく、使用により優雅な景観を添えるとされている。
【特許文献１】特許公開07-2585
【発明の開示】
【発明が解決しようとする課題】
【０００３】
本願発明は、コケを利用することにより簡便で屋上、路面を緑化する手段の提供にある。
【課題を解決するための手段】
【０００４】
本第1の発明は、細孔を有する粒状体の表面にコケを接着させもしくは育成させ、保存させたコケ付き粒状体である。貯蔵性及び運搬製を向上させるため粒状体表面にコケを育成した。
本第２の発明は、上記載のコケ付き粒状体を緑化場所に撒くコケ付き粒状体を用いる緑化方法である。
【発明の効果】
【０００５】
粒状体表面にコケを育成したため、貯蔵性及び運搬性が向上する。コケのため粒状体を緑化場所に撒き水分を補給することで容易に緑化可能となる。
【発明を実施するための最良の形態】
【０００６】
以下本発明であるコケ付き粒状体につき、図を用いて、より詳細に説明する。
図１は、コケ付き粒状体の形成から、貯蔵及びそれを用いて緑化する一連の過程を概念的に図示したものである。
図1ａは、コケ付き粒状体の形成を示している。コケ育成用ポットあるいは穂場上に軽石、砕石化された溶岩あるいはガラスカレットなど表面及び内部に細孔を有する粒状体を撒き、コケを裁断したものあるいはコケ胞子を撒き、必要な期間養生し、粒状体表面上にコケを育成させる。コケあるいはコケ胞子を粒状体表面に付着させるため、酢酸ビニルアクリル系樹脂を主成分とする乳状液体、とうもろこしあるいはジャガイモなどを原料とする生分解性樹脂の乳状液体あるいはポリエチレンイミド系樹脂水溶液など法面緑化などに使用される樹脂を用いることができる。
【０００７】
図1ｂは、粒状体表面に十分コケが育った段階で、コケ付き粒状体を乾燥状態で貯蔵保管する。保管の条件は、コケの種類に応じ最適な条件を定めることができる。
【０００８】
図1ｃは、保管されたコケ付け粒状体を搬送し、緑化すべき屋上庭園、庭、路面などに撒く。適当な水分を補給することで短期間の間に緑化が完成する。
【０００９】
粒状体の形状、大きさなど特に制限はないが、風による飛散、雨水による流出を考慮し、0.5ｍｍから数センチの大きさのものが好ましい。
粒状体は軽石、溶岩など天然のものであっても、ガラス発泡体等人工のものであってもよい。
【図面の簡単な説明】
【００１０】
【図１】は、本発明のコケ付き粒状体の形成とそれを用いた緑化の概念を示す。
【符号の説明】
【００１１】
１  粒状体
２  コケ
【図１】
2006101741.tif 000003